(57)【要約】【課題】従来の養生材の問題点として、場所や状況に応じて異なる養生材を使用しなければならなかった。出隅などがあると適宜カットする必要があっり、部分的にでもカットされた養生材は別作業時に使用することが困難であり、繰り返し使用することができない。階段の踏み板及び壁面については養生材の構造が該箇所にのみ対応している為、転用が利かならず、床養生材の端材などを利用して部分的に養生するに留まっていた。【解決手段】床壁だけでなく階段壁面にも対応し、且つ係止片を使用することで角部をも養生させる為、係止可能な延出部と係合溝を両端に有する養生材を使用する。上記構成によって破損しても部分的に交換すれば何度でも繰り返し使用できる。また滑動させることで異なる規格の階段壁面を手間なく養生させる方法と手段を提供する。【選択図】      図１
2004218395.tif 000002
【特許請求の範囲】
【請求項１】
一方の端部に先端が塊状若しくは長手方向に対して垂直な断面がＴ字状の延出部を有し、他方の端部にカギ状の係合溝を有することを特徴とし、該加工によって互いの異なる端部を連結させることが可能な、ボード状に成型された養生材。
【請求項２】
両端にカギ状の係合溝を有することを特徴とし、独立した係止片によって複数の端部を連結させることが可能な、ボード状に成型された養生材。
【請求項３】
両端に塊状若しくは長手方向に対して垂直な断面がＴ字状の延出部を有することを特徴とし、独立した係止片によって複数の端部を連結させることが可能な、ボード状に成型された養生材。
【請求項４】
床・壁・出隅・角部・框・階段壁面・階段等を切断・ハーフカットすることなく、屋内外の建材等を保護することが可能な請求項１、２、３記載の養生材による養生方法。
【発明の詳細な説明】
【０００１】
【発明の属する技術分野】
本発明は築造工事過程、引越作業過程等における荷物の搬入及び人の出入れに際し、床・壁、階段の踏み板及び壁面等を汎用的に保護することができる養生材及びその保護方法を提供するものである。
【０００２】
【従来の技術】
瑕疵の多い床や階段の踏み板及び壁面養生については場所や施工方法、作業の種類に応じて素材や形状の異なる養生材が使用されている。階段踏み板及び壁面については各々専用の養生材があるが、運搬時に場所を取ることと転用が利かないことから該壁面についてはクロス貼り前であれば部分的にも養生しない。床についてはベニヤ板（９１０ｍｍ×１８２０ｍｍ）をテープで固定する方法が一般的である。この場合、出隅や廊下幅に対応させる為に適宜切断する必要がある。短時間で終了する収容及び輸送作業時には搬入する荷物全てに専用の布団を被覆させて対応する。
【０００３】
【発明が解決しようとする課題】
従来の養生材の問題点として、場所や状況に応じて異なる養生材を使用しなければならないことが挙げられる。床については廊下巾（最低が７４０ｍｍ）に対応し、幅木設置の妨げにならないよう予め７２０ｍｍ程度に成型されたシート状、ボード状養生材が既にあるが、出隅などがあると適宜カットする必要があった。部分的にでもカットされた養生材は別作業時に使用することが困難であり、繰り返し使用することができない。階段の踏み板及び壁面については養生材の構造が該箇所にのみ対応している為、転用が利かない。コストや時間が限られる改築、増築及びリフォーム時においては、作業外箇所を保護する有効な養生手段がなく、床養生材の端材などを利用して部分的に養生するに留まっていた。
【０００４】
上記の問題を解決する為には、どの箇所にも対応、転用できる汎用的な養生材であるとともに、設置に時間がかからず、運搬時コンパクトに収納可能であることが望まれる。
【０００５】
【課題を解決するための手段】
上記目的を達成する為、請求項１記載の連結式養生材１においては、該材の一方の端部に塊状若しくは該材長手方向に対して垂直な断面がＴ字状の延出部２ａ、ｂを、他方の端部にカギ状の係合溝３を成型する。延出部２ａ、ｂの先端は係止できるよう該溝の溝幅よりも大きくする必要がある。該溝の弾性に抗して延出部２ａ、ｂを狭持する力は該材の自重を支持できる程度であり、且つ該材同士を長手方向へ滑動させることが可能な程度に調整するべきである。係合溝３にはエラストマーなどの弾性に富む素材を用いることが望ましい。該材を用いることによって連結部分をヒンジとして屈曲させることが可能になる。かかる構成によって上記養生材１は収納時コンパクトに折りたためる上、出隅や上がり框などの角部をも連結させて養生できるようになる。ヒンジ部の弾性復元力は該材自重に抗して広がらない程度でなければならない。上記養生材の材質には延出部や係合溝の加工が可能であり、且つ安価に作成できるものが求められる。上記点から石油化成品のボードを利用することが望ましい。特に複数の空洞加工を施したもの（プラスチックベニヤなど）を利用することにより、緩衝性を高め、且つ自重を軽くすることが可能となる。かかる構成において、該材落下時の衝撃を最小限にすることができる。
【０００６】
請求項２記載の養生材においては、該材の両端にカギ状の係合溝３ａ、ｂを成型し、独立した係止片４によって複数材の端部を連結する。係止片は２以上の延出部２ａ、ｂを有し、該部先端は塊状若しくは該片長手方向に対して垂直な断面がＴ字状になるよう加工する。連結の方法については請求項１記載の養生材と同様である。
【０００７】
請求項３記載の養生材においては、該材の両端に塊状若しくはＴ字状の延出部２ａ、ｂを成型し、独立した係止片４によって複数材の端部を連結する。係止片は２以上のカギ状の係合溝３ａ、ｂを有する。連結の方法については請求項１記載の養生材と同様である。
【０００８】
かかる構成において、該材を複数枚連結することが可能になり、養生箇所に応じて連結部を上下に滑動させることによって階段壁面などの段差のある箇所を養生できるようになる。段差ｈが高い時は滑動幅ｈ′を大きくし、段差が低い時は滑動幅を小さくする。また踏み板７の奥行き長さｌは一様ではない為、上記養生材の押出し幅ｌ′、長さは数種類用意すべきである。かかる構成によって床の養生時、余幅を作らずに全面を養生できる。固定の方法についてはテープもしくは支持台を利用する。
【０００９】
更に連結部を屈曲させるか係止片の係止部２箇所を９０度の角度で成型するか（請求項２、３）すれば、階段の蹴込み、踏み板、框部分を同時に養生できる。強い衝撃が予想される箇所についてはテープによる固定を必要とする。
【００１０】
【発明の実施の形態】
発明の実施の形態を実施例にもとづき図面を参照して説明する。
図１は、本発明の連結式養生材（請求項１）の押出し方向断面を表す斜視図である。本発明の窓枠・開口枠養生材１には、該材の一方の端部に塊状若しくは該材長手方向に対して垂直な断面がＴ字状の延出部２ａ、ｂを、他方の端部にカギ状の係合溝３を成型する。異なる端部構造同士を合わせ、係止することでテープを使用せずに複数枚の上記養生材を固定することができる。
【００１１】
図２は、本発明の連結式養生材（請求項２）の押出し方向断面を表す斜視図である。本発明の窓枠・開口枠養生材１は、該材の両方の端部にカギ状の係合溝３ａ、ｂを成型し、独立した係止片４によって複数材の端部を係止する。かかる構成において、テープを使用することなく複数枚の上記養生材を固定することができる。係止片には２以上の塊状もしくは長手方向に対して垂直な断面がＴ字状の延出部２ａ、ｂを有する。
【００１２】
図３は、本発明の連結式養生材（請求項３）の押出し方向断面を表す斜視図である。本発明の窓枠・開口枠養生材１には、該材の両方の端部に塊状若しくは該材長手方向に対して垂直な断面がＴ字状の延出部２ａ、ｂを、他方の端部にカギ状の係合溝３を成型し、独立した係止片４によって複数材の端部を連結する。かかる構成において、テープを使用することなく複数枚の上記養生材を固定することができる。係止片には２以上のカギ状の係合溝３ａ、ｂを成型する。
【００１３】
図４は、本発明の連結式養生材の階段壁面設置例を示す上方斜視図である。階段６の踏み板７の巾ｗに対応する押出し巾ｗ′を有する該養生材を階段壁面５に設置する。設置にあたり、互いに係止された該養生材を一定の巾ｈ′に滑動させて階段の段差ｈにあわせる。養生材が固定されない場合はテープ若しくは支持台を利用する。
【００１４】
図５は、本発明の連結式養生材の床設置例を示す上方斜視図である。出隅１０がある為、上記養生材については長手方向長さｌ、ｌ′の異なる養生材を用意することで、カットする必要性がなくなる。養生材施工時にはないが、最終的に床８の隅には幅木を設置する必要がある為、養生材の施工については、壁９から約１５ｍｍ程度の距離を離す必要がある。
【００１５】
図６は、本発明の連結式養生材（請求項２、３）の角部養生実施例を示す上方斜視図である。係止片４の水平の角度に成型された係止部２ａ、ｂを屈曲するか、同係止部を２箇所９０度の角度で成型するかすれば、階段の蹴込み、踏み板、框部分などの角部を養生することができる。係止片の弾性復元力は直角以上の屈曲に耐える程度に強く、且つ上記養生材の自重に抗して屈曲しない程度に弱いものが必要となる。
【００１６】
【発明の効果】
本発明は、以上説明したように構成されているので、以下に記載されるような効果を奏する。
【００１７】
本発明は、テープを利用せずに互いの養生材の端部を連結することが可能であり、且つカッターやはさみを使用する必要がない。また滑動させて係止させるので設置に手間がかからない。
【００１８】
更に上記養生方法を利用することで、床壁はもちろん、階段や階段壁面を養生することができる。数種の幅、長さを使用することで、出隅等があっても余幅なく養生ができる。また大きな衝撃で該材が破損した場合でも、部分的な交換を行う事で何度でも使用することができる。
【００１９】
【図面の簡単な説明】
【図１】本発明の連結式養生材（請求項１）の押出し方向断面を表す斜視図である。
【図２】本発明の連結式養生材（請求項２）の押出し方向断面を表す斜視図である。
【図３】本発明の連結式養生材（請求項３）の押出し方向断面を表す斜視図である。
【図４】図４は、本発明の連結式養生材の階段壁面設置例を示す上方斜視図である。
【図５】図５は、本発明の連結式養生材の床設置例を示す上方斜視図である。
【図６】図６は、本発明の連結式養生材（請求項２、３）の角部養生実施例を示す上方斜視図である。
【符号の説明】
１  連結式養生材
２  延出部
３  係合溝
４  係止片
５  階段壁面
６  階段
７  階段の踏み板
８  床
９  壁
１０  出隅
１１  幅木設置予定部
【図１】
2004218395.tif 000003
【図２】
2004218395.tif 000004
【図３】
2004218395.tif 000005
【図４】
2004218395.tif 000006
【図５】
2004218395.tif 000007
【図６】
2004218395.tif 000008